(57)【特許請求の範囲】
【請求項１】
上胴衣であって：
第１管状ジャカードニット構造を含む第１ニットゾーンと、第２管状ジャカードニット構造を含む第２ニットゾーンとを備え；
前記第１管状ジャカードニット構造は、複数の第１フロントステッチコース及び複数の第１バックステッチコースを含み、前記複数の第１フロントステッチコース及び前記複数の第１バックステッチコースは、第１糸ストランド及び第２糸ストランドで構成されており、
前記複数の第１フロントステッチコースの各フロントステッチコースは、前記複数の第１バックステッチコースのバックステッチコースと断続的にインターロックして複数の第１インターロック・コースを形成し、
前記複数の第１インターロック・コースの各第１インターロック・コースは、ある量のステッチ位置を有する第１セットのステッチ位置を含み、前記第１セットのステッチ位置の中に配置される前記第１糸ストランドと前記第２糸ストランドの３つのインターロック・クロスオーバーを含み、前記第１セットのステッチ位置は、前記複数の第１インターロック・コースの中で一貫しており；
前記第２管状ジャカードニット構造は、複数の第２フロントステッチコース及び複数の第２バックステッチコースを含み、前記複数の第２フロントステッチコース及び前記複数の第２バックステッチコースは、第３糸ストランド及び第４糸ストランドで構成されており、
前記複数の第２フロントステッチコースの各フロントステッチコースは、前記複数の第２バックステッチコースのバックステッチコースと断続的にインターロックして複数の第２インターロック・コースを形成し、
前記複数の第２インターロック・コースの各第２インターロック・コースは、前記量のステッチ位置を有する、第２セットのステッチ位置を含み、前記第２セットのステッチ位置の中に配置される前記第３糸ストランドと前記第４糸ストランドの３つ未満のインターロック・クロスオーバーを含み、
前記第１ニットゾーンは、当該上胴衣の胸部カバー部分を備え、前記第２ニットゾーンは、当該上胴衣の翼パネル、前記胸部カバー部分の少なくとも一部の周りの外縁を形成する１つ以上のカプセル化領域又はその組合せを備える、
上胴衣。
【請求項２】
前記第１糸ストランド、前記第２糸ストランド、前記第３糸ストランド及び前記第４糸ストランドは各々、非伸張状態に戻る前に２００％未満の最大伸張を提供する弾性量を含む、
請求項１に記載の上胴衣。
【請求項３】
前記第１ニットゾーン及び前記第２ニットゾーンは、非伸張状態に戻る前に２００％超の最大伸張を提供する弾性量を含む糸ストランドを含まない、
請求項２に記載の上胴衣。
【請求項４】
前記第１糸ストランド、前記第２糸ストランド、前記第３糸ストランド及び前記第４糸ストランドは各々、同じ糸組成を有する同じ糸タイプ及び同じ糸サイズを含む、
請求項３に記載の上胴衣。
【請求項５】
前記ステッチ位置の量は、８個以上で１４個以下である、
請求項１に記載の上胴衣。
【請求項６】
上胴衣であって：
第１ニットゾーン及び第２ニットゾーンを備え、前記第１ニットゾーンは、第１管状ジャカードニット構造を含み、第１弾性率を有し、前記第２ニットゾーンは、第２管状ジャカードニット構造を含み、前記第１弾性率より大きい第２弾性率を有し；
前記第１管状ジャカードニット構造は、第１セットの４０個のフロントステッチコースと、第１セットの４０個のバックステッチコースと、前記第１セットの４０個のフロントステッチコース及びバックステッチコースの間で一貫性があり、ある量のステッチ位置を含む、第１セットの連続配置されるステッチ位置とを備え、前記第１セットの４０個のフロントステッチコース及びバックステッチコースと前記第１セットの連続配置されるステッチ位置は、第１量のステッチを含み；
前記第２管状ジャカードニット構造は、第２セットの４０個のフロントステッチコースと、第２セットの４０個のバックステッチコースと、前記第２セットの４０個のフロントステッチコース及びバックステッチコースの間で一貫性があり、前記量のステッチ位置を含む、第２セットの連続配置されるステッチ位置とを備え、前記第２セットの４０個のフロントステッチコース及びバックステッチコースと前記第２セットの連続配置されるステッチ位置は、第２量のステッチを含み；
前記第１セットの４０個のフロントステッチコースの各フロントステッチコース及び前記第１セットの４０個のバックステッチコースの各バックステッチコースは、第１糸ストランド及び第２糸ストランドを備え、前記第１セットの４０個のフロントステッチコースは、前記第１糸ストランドと前記第２糸ストランドの第１量のインターロック・クロスオーバーによって前記第１セットの４０個のバックステッチコースと断続的にインターロックされ、前記第１量のインターロック・クロスオーバーは、前記第１セットの４０個のフロントステッチコース及び前記第１セットの４０個のバックステッチコースの中で断続的に分散され、前記第１セットの連続配置されるステッチ位置の中に配置されており、前記第１量のステッチに対する前記第１量のインターロック・クロスオーバーの第１比は、約１：４〜約１：１３の範囲内であり；
前記第２セットの４０個のフロントステッチコースの各フロントステッチコース及び前記第２セットの４０個のバックステッチコースの各バックステッチコースは、第３糸ストランド及び第４糸ストランドを含み、前記第２セットの４０個のフロントステッチコースは、前記第３糸ストランドと前記第４糸ストランドの第２量のインターロック・クロスオーバーによって前記第２セットの４０個のバックステッチコースと断続的にインターロックされ、前記第２量のインターロック・クロスオーバーは、前記第２セットの４０個のフロントステッチコース及び前記第２セットの４０個のバックステッチコースの中で断続的に分散され、前記第２セットの連続配置されるステッチ位置の中に配置されており、前記第２量のステッチに対する前記第２量のインターロック・クロスオーバーの第２比は、前記第１比より小さく、
前記第１ニットゾーンは、当該上胴衣の胸部カバー部分を備え、前記第２ニットゾーンは、当該上胴衣の翼パネル、前記胸部カバー部分の少なくとも一部の周りの外縁を形成する１つ以上のカプセル化領域又はその組合せを備える、
上胴衣。
【請求項７】
前記第１糸ストランド、前記第２糸ストランド、前記第３糸ストランド及び前記第４糸ストランドは各々、非伸張状態に戻る前に２００％未満の最大伸張を提供する弾性量を含む、
請求項６に記載の上胴衣。
【請求項８】
前記第１ニットゾーン及び前記第２ニットゾーンは、非伸張状態に戻る前に２００％超の最大伸張を提供する弾性量を含む糸ストランドを含まない、
請求項７に記載の上胴衣。
【請求項９】
前記第１糸ストランド、前記第２糸ストランド、前記第３糸ストランド及び前記第４糸ストランドは各々、同じ糸組成を有する同じ糸タイプ及び同じ糸サイズを含む、
請求項８に記載の上胴衣。
【請求項１０】
前記第１管状ジャカードニット構造は、前記第１セットの４０個のフロントステッチコースを含む１５０個のフロントステッチコースと、前記第１セットの４０個のバックステッチコースを含む１５０個のバックステッチコースとを含む、
請求項６に記載の上胴衣。
【請求項１１】
前記第２ニットゾーンは、正中線領域を含む前記カプセル化領域を備え、前記第２ニットゾーンは、前記第２セットの４０個のフロントステッチコースを含む１５０個のフロントステッチコースと、前記第２セットの４０個のバックステッチコースを含む１５０個のバックステッチコースとを含む、
請求項１０に記載の上胴衣。
【請求項１２】
上胴衣であって：
第１管状ジャカードニット構造を含む第１ニットゾーンと、第２管状ジャカードニット構造を含む第２ニットゾーンとを備え；
前記第１管状ジャカードニット構造は、複数の第１フロントステッチコースと、複数の第１バックステッチコースとを備え、前記複数の第１フロントステッチコース及び前記複数の第１バックステッチコースは、第１糸ストランド及び第２糸ストランドで構成されており、
前記複数の第１フロントステッチコースの各フロントステッチコースは、前記複数の第１バックステッチコースのバックステッチコースと断続的にインターロックして、複数の第１インターロック・コースを形成し、各第１インターロック・コースは、１つおきのフロントステッチ及び１つおきのバックステッチとインターループすることによって、それぞれのフロントステッチコースをそれぞれのバックステッチコースにバインドするインターロック・タック・ステッチのコースを形成する、第３糸ストランドを備え；
前記複数の第１インターロック・コースの各第１インターロック・コースは、ある量のステッチ位置を有する、第１セットの連続するステッチ位置を含み、前記第１セットの連続するステッチ位置の中に配置される前記第１糸ストランドと前記第２糸ストランドの３つのインターロック・クロスオーバーを含み、前記第１セットの連続するステッチ位置は、前記複数の第１インターロック・コースの中で一貫しており；
前記第２管状ジャカードニット構造は、複数の第２フロントステッチコースと、複数の第２バックステッチコースとを含み、前記複数の第２フロントステッチコース及び前記複数の第２バックステッチコースは、第４糸ストランド及び第５糸ストランドで構成されており、
前記複数の第２フロントステッチコースの各フロントステッチコースは、前記複数の第２バックステッチコースのバックステッチコースと断続的にインターロックして、複数の第２インターロック・コースを形成し、各第２インターロック・コースは、１つおきのフロントステッチ及び１つおきのバックステッチとインターループすることによって、それぞれのフロントステッチコースをそれぞれのバックステッチコースにバインドするインターロック・タック・ステッチのコースを形成する、第６糸ストランドを備え；
前記複数の第２インターロック・コースの各第２インターロック・コースは、前記量のステッチ位置を有する、第２セットの連続するステッチ位置を含み、前記第２セットの連続するステッチ位置の中に配置される前記第４糸ストランドと前記第５糸ストランドの３つ未満のインターロック・クロスオーバーを含み、
前記第１ニットゾーンは、当該上胴衣の胸部カバー部分を備え、前記第２ニットゾーンは、当該上胴衣の翼パネル、前記胸部カバー部分の少なくとも一部の周りの外縁を形成する１つ以上のカプセル化領域又はその組合せを備える、
上胴衣。
【請求項１３】
前記第１ニットゾーン及び前記第２ニットゾーンは、非伸張状態に戻る前に２００％未満の最大伸張を提供する弾性量を含む糸ストランドを含まない、
請求項１２に記載の上胴衣。
【請求項１４】
前記第１糸ストランド、前記第２糸ストランド、前記第３糸ストランド、前記第４糸ストランド、前記第５糸ストランド及び前記第６糸ストランドは各々、同じ糸組成を有する同じ糸タイプ及び同じ糸サイズを含む、
請求項１３に記載の上胴衣。
【請求項１５】
前記複数の第１及び第２インターロック・コースは各々、第２インターロック・コースにインターループ状に結合される第１インターロック・コースを含み、該第１インターロック・コース内のインターロック・タック・ステッチのコースは、前記第２インターロック・コース内のインターロック・タック・ステッチのコースからオフセットされる、
請求項１２に記載の上胴衣。
【請求項１６】
前記ステッチ位置の量は、１４個のステッチ位置である、
請求項１２に記載の上胴衣。
【発明の詳細な説明】
【背景技術】
【０００１】
上胴衣（Ｕｐｐｅｒ−ｔｏｒｓｏ  ｇａｒｍｅｎｔｓ）は、典型的に、着用者の上胴領域（ｕｐｐｅｒ−ｔｏｒｓｏ  ｒｅｇｉｏｎ）を覆うように構成される様々な部分を含む。例えば上胴衣はしばしば、胸部カバー部分及び背面カバー部分を含む。加えて、上胴衣は、時には様々な特性に基づいて選択される、様々な織物及び材料タイプを含んでよい。様々な特性を有する可能性があり、かつ上胴衣の少なくとも一部を構成するために使用される可能性がある１つのタイプの織物の例は、ニット織物（ｋｎｉｔ  ｔｅｘｔｉｌｅ）である。
【図面の簡単な説明】
【０００２】
本開示の主題は、本明細書に詳細において添付の図面に関連して説明されており、それらの図面は参照により本明細書に組み込まれる。
【図１】本開示の態様による上胴衣の正面図である。
【図２】図１に図示された衣類の正面斜視図である。
【図３】図１に図示された衣類の側面図である。
【図４】本開示の態様による例示的なニットの概略図である。
【図５】図４のニットの概略図に対応するニットプログラム表記（ｋｎｉｔ−ｐｒｏｇｒａｍ  ｎｏｔａｔｉｏｎｓ）を示す図である。
【図６Ａ】本開示の態様によるフロントコース（ｆｒｏｎｔ  ｃｏｕｒｓｅ）とバックコース（ｂａｃｋ  ｃｏｕｒｓｅ）のインターロック・クロスオーバー（ｉｎｔｅｒｌｏｃｋｉｎｇ  ｃｒｏｓｓ  ｏｖｅｒｓ）を示すニットの概略図である。
【図６Ｂ】本開示の態様によるフロントコースとバックコースのインターロック・クロスオーバーを示すニットの概略図である。
【図７Ａ】本開示の一態様によるニットプログラム表記を示す図である。
【図７Ｂ】図７Ａの概略図の一部の拡大図である。
【図８Ａ】本開示の他の態様による代替的なニット構造を示す、追加のニットの概略図である。
【図８Ｂ】本開示の他の態様による代替的なニット構造を示す、追加のニットの概略図である。
【図８Ｃ】本開示の他の態様による代替的なニット構造を示す、追加のニットの概略図である。
【図８Ｄ】本開示の他の態様による代替的なニット構造を示す、追加のニットの概略図である。
【図９】本開示の態様によるインターロック・タック・バインダ（ｉｎｔｅｒｌｏｃｋｉｎｇ  ｔｕｃｋ  ｂｉｎｄｅｒ）を有する管状ジャカードニット構造（ｔｕｂｕｌａｒ−ｊａｃｑｕａｒｄ  ｋｎｉｔ  ｓｔｒｕｃｔｕｒｅ）を示す、別の例示的なニットの概略図である。
【図１０】図９のニット概略図に対応するニットプログラム表記を示す図である。
【図１１】本開示の態様によるフロントコース及びバックコースのインターロック・クロスオーバーと組み合わせたインターロック・タック・バインダを示すニットの概略図である。
【図１２】本開示の一態様によるニットプログラム表記を示す図である。
【図１３】複数の管状ジャカードニットゾーンを有する上胴衣を示す図である。
【図１４】本開示の態様による管状ジャカードニット構造を有する上胴衣を示す図である。
【図１５】図１４の基準線１５Ａ−１５Ａ又は基準線１５Ｂ−１５Ｂに沿って切り取った断面の斜視図である。
【図１６】図１５の断面の概略図である。
【発明を実施するための形態】
【０００３】
本主題は、法定要件を満たすために、本開示全体を通して詳細かつ具体性をもって記載される。しかしながら、本開示において説明される態様は、限定的ではなく例示的であるように意図されており、その説明自体は、必ずしも特許請求の範囲を限定するように意図されていない。むしろ、特許請求に係る主題は、本開示で説明されたものと均等な異なる要素又は要素の組合せを含む他の方法で実施されてもよい。言い換えると、特許請求の範囲の意図される範囲及び本明細書で説明される他の主題は、簡潔性の観点で本出願において明示的に記載又は示されていないが、本明細書で与えられる完全な開示を考慮して、その範囲内に含まれるものとして当業者によって理解されるであろう均等な特徴、態様、材料、構成方法及び他の態様を含む。特定の特徴及びサブコンビネーションは有用であり、他の特徴及びサブコンビネーションを参照することなく使用されてよいことが理解されよう。これは、特許請求の範囲によって考慮されており、その範囲内にある。
【０００４】
高レベルでは、本開示は、相互に独立に及び相互に組合せとして製品の動作に寄与する、様々な要素を有する上胴衣を説明する。例えば上胴衣は、管状ジャカードニット構造で構成される１つ以上の部分を含む。本開示の一態様では、管状ジャカードニット構造に従って、１つ以上の糸ストランド（ｙａｒｎ  ｓｔｒａｎｄｓ）を、インターループ（ｉｎｔｅｒｌｏｏｐ）させてフロントコースとバックコースとの間で移動させる方法が、上胴衣の特性に影響を及ぼす。糸（ｙａｒｎ）の組成とサイズ、追加のニット構造及びステッチサイズを含む（ただし、これらに限定されない）、他の要素も衣服の特性に影響を及ぼす可能性があり、これらは本開示の他の部分でより詳細に説明されるであろう。他の中でも特に、管状ジャカードニット構造及び他の要素は、衣類のフィット及び形状、並びに伸び、圧縮、通気性、弾性、安定性、サポート等のような織物特性に寄与し得る。
【０００５】
最初に図１〜図３を参照すると、例示的な上胴衣１０が示されており、この説明において、「上胴衣」は、着用者の上胴（Ｕｐｐｅｒ−ｔｏｒｓｏ）を覆うように構成される任意の衣類を示す。図示された上胴衣１０はブラであり、図示されたブラのスタイルは時々、スポーツブラ、アスレチックブラとして又は他の類似の呼称で呼ばれる。また、本開示の他の態様では、上胴衣は、ストラップレスブラ、キャミソール、ベース層シャツ（ｂａｓｅ−ｌａｙｅｒ  ｓｈｉｒｔ）、シングレット（ｓｉｎｇｌｅｔ）、レーシングスーツ等を含む、女性又は男性用の様々な他のタイプの衣類を含んでよい。
【０００６】
上胴衣１０の様々な態様を説明するとき、相対的な位置を理解するのを助けるために相対的な用語が使用されることがある。例えば上胴衣１０を、左側１２と右側１４に分けることができる。加えて、上胴衣１０は、該上胴衣１０が使用中の状態にあるときに着用者の背中の少なくとも一部を典型的に覆う後方部分１６と、使用中の状態にある着用者の胸部の少なくとも一部を典型的に覆う前方部分１８とを含むことができる。
【０００７】
さらに、上胴衣１０は、本開示の態様を説明するときにも参照され得る様々な部分を含む。例えば上胴衣１０は、肩ストラップ２０及び２２、並びにアームホール２４及び２６、そして一般にネック受容開口部の周りの外縁（ｐｅｒｉｍｅｔｅｒ）を形成するネックライン２８を含む。加えて、上胴衣１０は、左側１２に乳房カバー部分（ｂｒｅａｓｔ−ｃｏｖｅｒｉｎｇ  ｐｏｒｔｉｏｎ）３０、右側１４に乳房カバー部分３２を含んでおり、乳房カバー部分３０と乳房カバー部分３２の間に中央ブリッジ３４が配置されている。上胴衣１０はまた、乳房カバー部分３０及び３２の少なくとも一部の周りの外縁を形成する一連のカプセル化領域（ｅｎｃａｐｓｕｌａｔｉｏｎ  ｒｅｇｉｏｎｓ）３５Ａ、３５Ｂ、３５Ｃ、３５Ｄ、３５Ｅ及び３５Ｆを含む。いくつかの例において、乳房カバー部分、中央ブリッジ及びカプセル化領域の組合せが集合的に、胸部カバー部分を形成してよい。
【０００８】
さらに、上胴衣１０は、上部胸部分（ｕｐｐｅｒ−ｃｈｅｓｔ  ｐｏｒｔｉｏｎ）３９、左脇下部分３６、右脇下部３８、左翼４０及び右翼４２を含む。後方部分１６は、リアストラップ４６及び４８を有するメイン・トランク４４を有するレーサーバックスタイルのリアパネルを含む。トランク４４とリアストラップ４６及び４８は、一般に「Ｔ」形状又は「Ｙ」形状を形成し、ストラップ４６、４８は、肩ストラップ２０、２２と接続している。胸部バンド５０は、乳房カバー部分３０、３２及び翼４０、４２の下に周方向に延びて、後方部分１６の周囲を完全に取り囲む。胸部バンド５０は、いずれの留め金又は他の開放可能なコネクタも伴わずに図示されているが、代替的な態様では含まれてもよい。これらの相対的な領域及び部品は、必ずしも上胴衣１０の正確な領域を区別するようには意図されておらず、これらは例示及び説明の目的のために提供されている。しかしながら、上胴衣１０は、論理的な分割又は区分を提供する、シーム又は遷移ゾーンのような構造要素を含んでもよい。
【０００９】
上胴衣１０は、クレードル領域、アンダーワイヤ等のように、図１〜図３に必ずしも示されていない他の部品、領域及び部分を含んでもよい。加えて、上記で示したように、図１〜図３に示されるブラスタイルの上胴衣１０は、単に上胴衣のタイプを例示したものにすぎず、本開示の他の態様では、上胴衣は、袖、腹部カバー部分、腰部カバー部分、一体型のショーツ又はパンツ（例えばユニタード）等を有してよい。
【００１０】
本開示の一態様では、上胴衣１０は、ニット織物領域（ｋｎｉｔ  ｔｅｘｔｉｌｅ  ｒｅｇｉｏｎ）を含み、本開示で使用されるとき、「ニット織物領域」は一般に、相互にインターループされる１つ以上の糸ストランドで構成される、上胴衣１０の少なくとも一部を指す。例えば図１では、例示的なニット織物領域５２が識別されており、ニット織物領域５２の更なる詳細が拡大図５４で更に示されている。拡大図５４は、例示的なニット構造５６を示す。部分的に分解した図５８によって示されるように、ニット構造５６は、インターループされたフロントステッチのコース（ｃｏｕｒｓｅｓ  ｏｆ  ｉｎｔｅｒｌｏｏｐｅｄ  ｆｒｏｎｔ  ｓｔｉｔｃｈｅｓ）６０と、インターループされたバックステッチのコース（ｃｏｕｒｓｅｓ  ｏｆ  ｉｎｔｅｒｌｏｏｐｅｄ  ｂａｃｋ  ｓｔｉｔｃｈｅｓ）６２を含む。
【００１１】
ニット織物領域５２は、図１では、ニット構造の描写及び説明を可能にするよう例示的な目的のために識別されているが、本開示の他の態様では、上胴衣１０は、領域５２よりも大きく、かつ／又は上胴衣１０の他の領域及び部分に配置される、１つ以上の他のニット織物領域を含む。例えば上胴衣１０の前方部分の少なくとも一部は、胸部バンド５０、乳房カバー部分３０及び３２、中央ブリッジ３４、カプセル化バンド３５Ａ〜３５Ｆ、脇下部分３６及び３８、翼４０及び４２、ストラップ２０及び２２、並びにこれらの任意の組合せを含む１つ以上のニット構造を含んでもよい。上胴衣１０のこれらの部分は、連続ニットパネルとして一体的に編まれてよく、あるいは別個のニットパネルであってもよい。
【００１２】
本開示の一態様では、乳房カバー部分３０及び３２は各々、ニット織物領域６６及び６８を含む。乳房カバー部分３０及び３２は、該乳房カバー部分を識別することができる様々な特徴を含む。例えば乳房カバー部分３０及び３２は一般に、胸部バンド５０よりも上方に、かつストラップ２０及び２２よりも下方に配置される。加えて、乳房カバー部分３０及び３２は一般に、上胴衣１０の前側に、脇下部分３６と３８の間に、そして翼４０と４２の間にある。さらに、図１〜図３によって示唆されるように、乳房カバー部分３０及び３２は、中央ブリッジ３４によって分離されてよく、カプセル化領域３５Ａ〜３５Ｆによって１つ以上の側面と接している。また、いくつかの他の態様では、乳房カバー領域３０及び３２が、左側の翼及び腕下部分から右側の翼及び腕下部分まで前側に広がる単一の乳房カバー部分を形成するように、中央ブリッジ３４が省略されてもよい。同様に、カプセル化領域３５Ａ〜３５Ｆの厚さを減らしてもよく、あるいは本開示の他の態様では、カプセル化領域を省略してもよい。図２及び図３の側面図によって示されるように、乳房カバー部分３０及び３２はドーム形状であり、凸状の外面７０を含み、したがって、図１〜図３に示される視点からでは見えない凹状の内面を含む。
【００１３】
乳房カバー部分３０及び３２は、上胴衣１０が人間又はマネキンによって着用されるときのように使用中の状態にあるときは、着用者の胸部領域を覆うことができ、場合によっては、着用者の胸部領域に接触することがある。さらに、乳房カバー部分３０及び３２は、着用者のそれぞれの乳房組織（ｂｒｅａｓｔ  ｔｉｓｓｕｅ）に圧縮サポート（ｃｏｍｐｒｅｓｓｉｖｅ  ｓｕｐｐｏｒｔ）を提供することができる。図１〜図３に示される乳房カバー部分３０及び３２のサイズ及び形状は、本明細書で説明される主題の一態様を例示するものであり、他の態様では、サイズ及び形状を変化させることができる。
【００１４】
本開示の更なる態様では、ニット織物領域６６及び６８は、管状ジャカードニット構造を含む。図４を参照すると、例示的な管状ジャカードニット構造１１０のいくつかの特徴を示す概略図が示されている。管状ジャカードニット構造１１０は、第１糸ストランド１１６及び第２糸ストランド１１８で構成される、複数のフロントステッチコース１１２及び複数のバックステッチコース１１４を含む。さらに、図４は、フロントステッチコースのうちの１つのフロントステッチコース１２０が、バックステッチコースのうちの１つのバックステッチコース１２２と、そのフロントステッチコース１２０からそのバックステッチコース１２２まで延びる第１糸ストランド１１６によって、断続的にインターロック（ｉｎｔｅｒｍｉｔｔｅｎｔｌｙ  ｉｎｔｅｒｌｏｃｋ）していることを図示している。加えて、バックステッチコース１２２へ延びている第１糸ストランド１１６と対応する位置において、第２糸ストランド１１８は、バックステッチコース１２２からフロントステッチコース１２０に延びている。
【００１５】
本開示の一態様によると、第１糸ストランド１１６がフロントステッチコース１２０からバックステッチコース１２２まで延び、第２糸ストランド１１８がバックステッチコース１２２からフロントステッチコース１２０まで延びるこの構造は、参照番号１２４によって識別される「インターロック・クロスオーバー」と呼ばれる。図４には、第１糸ストランド１１６がバックステッチコース１２２からフロントステッチコース１２０に延び、第２糸ストランド１１８がフロントステッチコース１２０からバックステッチコース１２２に延びる別のインターロック・クロスオーバー１２６が図示されている。
【００１６】
本開示の態様によれば、インターロック・クロスオーバーは、１つのフロントステッチコースを、複数のフロントステッチのサブセット又はサブ量（ｓｕｂ−ｑｕａｎｔｉｔｉｅｓ）に分ける。例えばインターロック・クロスオーバー１２４及び１２６は、フロントステッチコース１２０を第１量のフロントステッチ１２８、第２量のフロントステッチ１３０及び第３量のフロントステッチ１３２に分割する。同様に、バックステッチコース１２２は、第１量のバックステッチ１３４、第２量のバックステッチ１３６及び第３量のバックステッチ１３８に分割される。
【００１７】
図４において、第１糸ストランド１１６は、第２糸ストランド１１８とは異なる外観を有するように示されている。例えば第１糸ストランド１１６は、第２糸ストランド１１８とは異なる色であってもよい。本開示の一態様では、２つの糸ストランド１１６及び１１８の間の外観の相違により、第１及び第２糸ストランドがフロントコースとバックコースとの間で前後に断続的に切り替わるときに、図１〜図３の乳房カバー部分３０、脇下部分３６及び３８、並びに翼４０及び４２における例示のストライピングパターンのような、ストライピングパターンが得られる。図１〜図３の上胴衣１０は単に、達成され得る１つのストライピングパターンの例示にすぎず、他の態様では、上胴衣１０は異なるパターンを有してよい。加えて、第１糸ストランド及び第２糸ストランドをフロントコースとバックコースとの間で前後に切り替えることによって視覚的なストライピングパターンが形成されないように、第１糸ストランド及び第２糸ストランドは同じ又は類似の外観を有してもよい。
【００１８】
次に、図５を参照すると、図４の管状ジャカードニット構造１１０に対応する例示的なニットダイアグラム２１０が図示されている。ニットダイアグラム２１０は、複数の列と行を含む。各列は針位置（ｎｅｅｄｌｅ  ｐｏｓｉｔｉｏｎ）を表し、各行は糸ストランドを表す。行は、管状ジャカードニットを形成するために使用される第１糸ストランドと第２糸ストランドとの間で交互になっている。各列内において、ステッチのタイプが、ステッチがフロントベッド（ｆｒｏｎｔ  ｂｅｄ）上であるかバックベッド（ｂａｃｋ  ｂｅｄ）上であるかを示す指示とともに指定される。「糸」の下にあるステッチ表記はフロントベッド上であり、「糸」の上にあるステッチ表記はバックベッド上である。例えば行２１２Ｃは、１０個の針位置Ａ〜Ｊにおける第１糸ストランド２１６のステッチタイプ及びステッチ位置（ｓｔｉｔｃｈ  ｌｏｃａｔｉｏｎ）を示す。ステッチ表記２１３はフロントベッド上のステッチを指定し、ステッチ表記２１５はバックベッド上のステッチを指定する。したがって、ラインセグメント２２０は、フロントベッドからバックベッドへの移動（ｔｒａｎｓｆｅｒ）に対応する。
【００１９】
図５を続けると、行２１２Ａ〜行２１２Ｃの各々は、第１糸ストランド２１６のニット構造を規定し、交互の行２１４Ａ〜行２１４Ｃは、第２糸ストランド２１８のニット構造を規定する。行２１２Ａ及び行２１２Ｂは、ニット構造の前側における第１糸ストランド２１６による１０個のステッチを規定し、行２１４Ａ及び行２１４Ｂは、ニット構造の後側における第２糸ストランド２１８による１０個のステッチを規定する。これらの行２１２Ａ、２１２Ｂ、２１４Ａ及び２１４Ｂは、図４の最初の２つのフロントステッチコース及び最初の２つのバックステッチコースに対応する。
【００２０】
以前に説明したように、行２１２Ｃは、図４の第１糸ストランド１１６に対応する第１糸ストランド２１６のステッチを示す。このように、行２１２Ｃは、フロント側で３ステッチ、バック側への移動（すなわち、ラインセグメント２２０）、バック側で５ステッチ、フロント側への移動（すなわち、ラインセグメント２２４）、フロント側で２ステッチを順次指定する。行２１４Ｃは、図４の第２糸ストランド１１８に対応する第２糸ストランド２１８のステッチを指定し、そのため、行２１４Ｃは、バック側で３ステッチ、フロント側への移動（すなわち、ラインセグメント２２２）、フロント側で５ステッチ、バック側への移動（すなわち、ラインセグメント２２６）、バック側で２ステッチを順次指定する。実行されると、２２０及び２２２によって指定された移動はインターロック・クロスオーバー１２４に変換され、２２４及び２２６によって指定された移動はインターロック・クロスオーバー１２６に変換される。したがって、行２１２Ｃ及び行２１４Ｃによって規定されるステッチの組合せは、図４のフロントステッチコース１２０と図４のバックステッチコース１２２に変換される。
【００２１】
図４に関して説明したように、インターロック・クロスオーバーは、コースをステッチのサブセットに分ける。例えば図５において、移動２２０、２２２、２２４及び２２６は、インターロック・コース（ｉｎｔｅｒｌｏｃｋｅｄ  ｃｏｕｒｓｅ）を、第１量のフロントステッチ２２８、第２量のフロントステッチ２３０、第３量のフロントステッチ２３２、第１量のバックステッチ２３４、第２量のバックステッチ２３６及び第３量のバックステッチ２３８に分ける。
【００２２】
例示的な管状ジャカードニット構造３１０を更に説明するために、図６Ａは、フロントステッチコース３１２及びバックステッチコース３１４の別の概略図を含んでおり、これは、図４に示されるフロントステッチコース１２０及びバックステッチコース１２２の代替的な視覚的表現を提供する。フロントステッチコース３１２及びバックステッチコース３１４は、第１糸ストランド３１６及び第２糸ストランド３１８から形成され、フロントステッチコース３１２は、バックステッチコース３１４と断続的にインターロックされて、インターロック・コース３２０を形成する。インターロック・コース３２０は、インターロック・クロスオーバー１２４（図４）に対応する糸ストランド３１６及び３１８のインターロック・クロスオーバー３２４と、インターロック・クロスオーバー１２６（図４）に対応する別のインターロック・クロスオーバー３２６を含む。
【００２３】
さらに、図６Ａは、インターロック・クロスオーバー３２４及び３２６が、インターロック・コースを、第１量のフロントステッチ３２８、第２量のフロントステッチ３３０、第３量のフロントステッチ３３２、第１量のバックステッチ３３４、第２量のバックステッチ３３６及び第３量のバックステッチ３３８に分割することを例示的に示している。インターロック・コース３２０内では、インターロック・クロスオーバー３２４及び３２６と、第２量のフロントステッチ３３０と、第２量のバックステッチ３３６との組合せが、２つのコース３１２及び３１４の間の空間３４０を実質的に区切る。
【００２４】
図６Ｂを参照すると、ニット構造３１０は、力を受けると、様々な方法で動作する。例えば力が、インターロック・コース３２０と交差する方向（例えば３４２Ａ、３４２Ｂ又は３４２Ｃ）に加えられると、ニット構造３１０は、インターロック・コース３２０と整列される方向（例えば３４４Ａ及び３４４Ｂ）に伸びる。加えて、力が取り除かれると、ニット構造３１０はその静止状態に戻る。本開示の一態様では、インターロック・クロスオーバー３２４及び３２６は、より屈曲又は湾曲される第１状態（例えば図６Ａ）から、より真っ直ぐな第２状態（例えば図６Ｂ）に機械的に変わる第１糸ストランド３１６及び第２糸ストランド３１８によって、ニット構造３１０のこの特性に寄与する。この意味で、インターロック・クロスオーバー３２４及び３２６は、ステッチのサブセット間の伸縮ジョイントと同様に機能する。
【００２５】
ニット構造３１０を有するニット織物領域が上胴衣１０内に構築されるとき、様々な状況において、力がニット構造に加えられる可能性がある。例えば上胴衣が着用されて、着用者の一部（例えば乳房組織）がニット織物領域に押し付けるときに、インターロック・コース３２０と交差する方向に力が加えられる可能性がある。このように、ニット織物領域は、着用者にフィットするように機械的に伸張するか伸びて、着用者に対する圧縮力を提供することができる。
【００２６】
本開示の一態様では、ニット織物領域の中に含まれるインターロック・クロスオーバーの密度（例えば所与のニット領域内のインターロック・クロスオーバーの数）は、機械的伸張や伸びの量、並びに着用者の組織（例えば乳房組織）に対する圧縮力を達成するように選択される。すなわち、所与の数のステッチの中でより多くのインターロック・クロスオーバーを含む第１インターロック・コースと、その所与の数のステッチにおいてインターロック・クロスオーバーの数がより少ない第２インターロック・コースとが同じ力を受けるとき、第１インターロック・コースは第２インターロック・コースよりも伸びることになる。このように、第２インターロック・コースは、同じ条件（例えば衣類のサイズ及び着用者の寸法）の下で、第１インターロック・コースよりも多くの圧縮を提供することができ、第１インターロック・コースは、第２インターロック・コースよりも機械的に伸びることができる。これらの原理を適用すると、本開示の一態様は、インターロック・クロスオーバーの密度に少なくとも部分的に基づいてそれぞれの伸びの量を提供する１つ以上の管状ジャカードニット構造を含む、上胴衣を含む。
【００２７】
図７Ａを参照すると、ニットダイアグラム７１０は、第１糸ストランド７１６で形成されるステッチを表す複数の第１ストランド行７１２Ａ〜７１２Ｇと、第２糸ストランド７１８で形成されるステッチを規定する複数の第２ストランド行７１４Ａ〜７１４Ｇを示す。加えて、ニットダイアグラム７１０は、複数の連続的に配置された針位置（Ａ〜ＡＡ）を含む。実行されると、対応する第１ストランド行（例えば７１２Ａ）及び対応する第２ストランド行（例えば７１４Ａ）は、ある密度のインターロック・クロスオーバーを含むフロントステッチコース及びバックステッチコースに変換される。図７Ｂは、第１ストランド行７１２Ａ〜７１２Ｂ、第２ストランド行７１４Ａ〜７１４Ｂ及び針位置のサブセットＨ〜Ｙを含む、ニットダイアグラム７１０の一部の拡大図を含む。
【００２８】
第１ストランド行７１２Ａで指定される第１ストランドステッチは、第２ストランド行７１４Ａで指定される第２ストランドステッチと断続的にインターロックし、インターロック・コース７２０Ａを形成する。加えて、インターロック・コース７２０Ａは、インターロック・コース７２０Ａに沿って繰り返すコース内ニットシーケンス（ｉｎｔｒａ−ｃｏｕｒｓｅ  ｋｎｉｔ  ｓｅｑｕｅｎｃｅ）を含む。繰り返すコース内ニットシーケンスは、ボックス７２２Ａ（図７Ａ）によってアウトラインが示され、コース内ニットシーケンスの繰り返しインスタンスはボックス７２２Ｂ及び７２２Ｃによってアウトラインが示されている。図７Ｂも、ボックス７２２Ｂ及び７２２Ｃによってアウトラインが示されている繰り返しのコース内ニットシーケンスを示している。本開示の一態様によると、コース内ニットシーケンスの構造、並びに繰り返しインスタンスは、インターロック・コース内のインターロック・クロスオーバーの密度に寄与する。
【００２９】
図７Ｂを参照すると、（ボックス７２２Ｂによって識別される）コース内ニットシーケンスは、第１糸ストランド７１６によって形成される第１量のフロントステッチ７２４と、第２糸ストランド７１８によって形成される第１量のバックステッチ７２６を含む。さらに、針位置Ｍ及びＮの間で、第１糸ストランド７１６はフロントベッドからバックベッドに移動し、第２糸ストランド７１８はバックベッドからフロントベッドに移動する。次いで、第１糸ストランド７１６は第２量のバックステッチ７２８を形成し、第２糸ストランド７１８は、第２量のフロントステッチ７３０を形成する。次いで、第１糸ストランド７１６及び第２糸ストランド７１８は、第２量のフロントステッチ７３０及び第２量のバックステッチ７２８の後に、針位置ＰとＱとの間でクロスバックオーバー（ｃｒｏｓｓ  ｂａｃｋ  ｏｖｅｒ）する。次に、針位置ＰとＱの間でクロスバックオーバーの後、コース内ニットシーケンスは、インターロック・コース内で少なくとも１回繰り返す。
【００３０】
例示的なニットダイアグラム７１０において、コース内ニットシーケンス内のフロントステッチの量は８つであり（例えば針ＩからＰまでで与えられるフロントステッチ）、コース内ニットシーケンス内のバックステッチの量は８つである。加えて、コース内ニットシーケンスの繰り返しインスタンスを開始する第２インターロック・クロスオーバーの前に、これらの８つのフロントステッチと８つのバックステッチの間に単一のインターロック・クロスオーバーがある。図７Ａ及び図７Ｂに示されるコース内ニットシーケンスは、単に本開示の一態様の例示にすぎず、当該態様では、ニットダイアグラム７１０によって規定される構造に従って形成されるニット織物領域は、８つのフロントステッチと、８つのバックステッチと、８つのフロント及びバックステッチの間のインターロック・クロスオーバーとの繰り返しパターンに少なくとも部分的に起因する、伸びの量と圧縮特性を含む。また、本開示の他の態様では、各それぞれのコース内ニットシーケンスは、４個以上で１２個以下の量のフロントステッチと、４個以上で１２個以下の量のバックステッチとを含む。繰り返しシーケンス内のフロントステッチ及びバックステッチの量は、繰り返しシーケンスを含むことになるニット織物領域によって提供されるべき圧縮の量に少なくとも部分的に基づいて選択及び調整され得る。
【００３１】
図７Ａ及び図７Ｂにおいて、ニットダイアグラム７１０は、複数のインターロック・コース７２０Ａ、７２０Ｂ及び７２０Ｃの表記を示しており、各インターロック・コースは、それぞれのインターロック・コースに沿って繰り返すそれ自体のそれぞれのコース内ニットシーケンス（例えば７２２Ａ、７２２Ｄ及び７２２Ｅ）を含む。本開示の態様によれば、第１量のフロントステッチ、第１量のバックステッチ、第２量のフロントステッチ及び第２量のバックステッチはすべて、それぞれのコース内ニットシーケンスの各々の間で一貫している。例えばインターロック・コース７２０Ａは、第１量のフロントステッチ７２４における５つのフロントステッチと、第１量のバックステッチ７２６における５つのバックステッチと、第２量のフロントステッチ７３０における３つのフロントステッチと、第２量のバックステッチ７２８における３つのバックステッチとを有するコース内ニットシーケンス７２２Ａを含む。一貫した方法で、別のインターロック・コース７２０Ｂは、第１量のフロントステッチ７３６における５つのフロントステッチと、第１量のバックステッチ７３８における５つのバックステッチと、第２量のフロントステッチ７４０における３つのフロントステッチと、第２量のバックステッチ７４２における３つのバックステッチとを有するコース内ニットシーケンス（ボックス７２２Ｄによって識別される）を含む。
【００３２】
各々がそれぞれのインターロック・コース内に配置されるそれぞれのコース内ニットシーケンス（例えばボックス７２２Ａ内のシーケンス及びボックス７２２Ｄ内のシーケンス）が、フロント及びバックステッチのサブセットの各々において等しい数のステッチを含むニット構造では、様々な配置を実装することができる。例えば図７Ａ及び図７Ｂにおいて、インターロック・コース７２０Ａ及び７２０Ｂのインターロック・クロスオーバーは、隣接するインターロック・コース内の同じペアの針位置Ｍ及びＮの間に配置される。加えて、コース内ニットシーケンス７２２Ａ、７２２Ｄ及び７２２Ｅのすべてにおいて、所与のコース内ニットシーケンス内のフロントステッチの総数とバックステッチの総数（すなわち、８つのフロントステッチと８つのバックステッチ）を分割して、サブセット内に異なる量のステッチ（すなわち、フロントステッチサブセットのうちの１つに５つのステッチと、他のフロントステッチのサブセット内に３つのステッチ）を有するサブセットを作成する。
【００３３】
次に、図８Ａを参照すると、管状ジャカードニット構造が、第２インターロック・コース８２０Ｂにインターループ状に結合（ｉｎｔｅｒｌｏｏｐｅｄｌｙ  ｃｏｕｐｌｅｄ）される第１インターロック・コース８２０Ａを含む、代替的な態様が示されている。インターロック・コースは、フロントステッチコースのインタールーピング（ｉｎｔｅｒｌｏｏｐｉｎｇ）とバックステッチコースのインタールーピングによってインターループ状に結合される。第１及び第２インターロック・コース８２０Ａ及び８２０Ｂは、それぞれのインターロック・コースにおいて繰り返すそれぞれのコース内ニットシーケンス８２２Ａ及び８２２Ｂを含む。図７Ａ及び図７Ｂのニットダイアグラムと同様に、第１量のフロントステッチ８２４Ａ及び８２４Ｂ、第１量のバックステッチ８２６Ａ及び８２６Ｂ、第２量のフロントステッチ８２８Ａ及び８２８Ｂ及び第２量のバックステッチ８３０Ａ及び８３０Ｂはすべて、それぞれのコース内ニットシーケンスの各々の間で一貫している。また、図８Ａに示される代替的な態様では、第１インターロック・コース８２０Ａにおけるクロスオーバー８３２（インターロック・クロスオーバーを形成することになる）は、第２インターロック・コース８２０Ｂにおけるクロスオーバー８３４とは異なる針位置に配置される。インターロック・クロスオーバーは、隣接する針位置の異なるペアの間に配置されるが、インターロック・コース８２０Ａと８２０Ｂは、所与の数の繰り返しコース内ニットシーケンスの間で同じ密度のインターロック・クロスオーバーを含み、したがって、インターロック・コース８２０Ａ及び８２０Ｂは、ニット織物領域の一部を構成する際に、同様の伸び及び圧縮特性を有する。例えば２組の繰り返しコース内ニットシーケンスを含む１６個の針位置の間に、インターロック・コース８２０Ａ及び８２０Ｂは両方とも、３つのインターロック・クロスオーバーを含む。
【００３４】
次に、図８Ｂを参照すると、管状ジャカードニット構造が、第２インターロック・コース８４０Ｂにインターループ状に結合される第１インターロック・コース８４０Ａを含み、第１及び第２インターロック・コースが、それぞれのインターロック・コースで繰り返すそれぞれのコース内ニットシーケンス８４２Ａ及び８４２Ｂを含む、別の態様が示されている。図８Ｂのニットダイアグラムは、それぞれのコース内ニットシーケンス内のステッチの総量が同じ（すなわち、８つのフロントステッチ及び８つのバックステッチ）であるので、図７Ｂのニットダイアグラムと同様である。しかしながら、図８Ｂのニットダイアグラムは、フロントステッチ及びバックステッチのサブセットが、コース内ニットシーケンス８４２Ａ及び８４２Ｂの各々で異なるように分割されるので、図７Ｂ及び図８Ａのニットダイアグラムとは異なる。例えばコース内ニットシーケンス８４２Ａの第１量のフロントステッチ８４４Ａは、コース内ニットシーケンス８４２Ｂの第１量のフロントステッチ８４４Ｂとは異なる。フロント及びバックステッチのサブセットは、インターロック・コース８４０Ａと８４０Ｂの間で異なるように分割されるが、インターロック・コース８４０Ａ及び８４０Ｂは、所与の数の繰り返しコース内ニットシーケンスの中で同じ密度のインターロック・クロスオーバーを含む。例えばインターロック・コース８４０Ａ及び８４０Ｂは両方とも、それぞれのコース内ニットシーケンスの２つの繰り返しインスタンスの中で３つのインターロック・クロスオーバーを含み、これは図７Ｂ及び図８Ａのニットダイアグラムとも一貫する。このように、インターロック・コース７２０Ａ、８２０Ａ及び８４０Ａは、ニット織物領域を構成する際に同様の伸び及び圧縮特性を有することができる。
【００３５】
次に、図８Ｃを参照すると、管状ジャカードニット構造が、第２インターロック・コース８５０Ｂにインターループ状に結合される第１インターロック・コース８５０Ａを含み、第１及び第２インターロック・コースが、それぞれのインターロック・コースで繰り返すそれぞれのコース内ニットシーケンス８５２Ａ及び８５２Ｂを含む、別の態様が示されている。図８Ｃのニットダイアグラムは、それぞれのコース内ニットシーケンス内のステッチの総量が同じ（すなわち、８つのフロントステッチ及び８つのバックステッチ）であるという点で、図７Ｂ、図８Ａ及び図８Ｂのニットダイアグラムと類似する。しかしながら、図８Ｃのニットダイアグラムは、各コース内ニットシーケンスにおいて、第１糸ストランドが、第２糸ストランド（すなわち、４つ）と同じ数のフロントステッチ及びバックステッチ（すなわち、４つ）を構成するので異なる。以前に示したように、図８Ｃのインターロック・コースを図７Ｂ、図８Ａ及び図８Ｂのインターロック・コースと比較すると、各それぞれのコース内ニットシーケンス内のステッチの総量が同じであり（すなわち、８つのフロントステッチと８つのバックステッチ）、インターロック・クロスオーバーの数が同じであるため、インターロック・コースは、所与の数のコース内ニットシーケンスの繰り返しインスタンスの中で同じ密度のインターロック・クロスオーバーを含む。このように、インターロック・コース７２０Ａ、８２０Ａ、８４０Ａ及び８５０Ａは、ニット織物領域を構成する際に同様の伸び及び圧縮特性を有することができる。
【００３６】
図８Ｄは、図８Ｃに類似するニットダイアグラムを示しており、各コース内ニットシーケンス８６２Ａ及び８６２Ｂにおいて、第１糸ストランドは、第２糸ストランド（すなわち、４つ）と同じ数のフロントステッチ及びバックステッチ（すなわち、４つ）を構成する。しかし、図８Ｃのニットシーケンス８５２Ａ及び８５２Ｂとは対照的に、コース内ニットシーケンス８６２Ａ及び８６２Ｂは、隣接する針の異なるペアの間でそれぞれのインターロック・クロスオーバーを含む。しかしながら、図８Ａに関して説明したのと同じ理由により、インターロック・クロスオーバーの密度が同様であるので、伸び及び圧縮特性は同様であり得る。
【００３７】
図７Ａ、図７Ｂ及び図８Ａ〜図８Ｄに図示され、これらに関して説明された様々なコース内ニットシーケンスは、８つのフロントステッチ及び８つのバックステッチと、８つのフロント及びバックステッチの間の単一のインターロック・クロスオーバーを含む。加えて、インターロック・クロスオーバーは、コース内ニットシーケンスの直前及びコース内ニットシーケンスの直後に配置される。この意味で、コース内ニットシーケンスは、インターロック・クロスオーバーによってブックエンドされる。８つのフロント及びバックステッチの例は、本開示の一態様の例示であり、他の態様では、ニット織物領域６６及び６８におけるコース内ニットシーケンスは、４個以上で１２個以下の量のフロントステッチを含む。これらの他の態様では、単一のコース内ニットシーケンスのインターロック・クロスオーバーが、異なる隣接の針ペアの間に配置されて、フロントステッチとバックステッチを異なるサイズのサブセットに分割することができるように、図７Ａ、図７Ｂ及び図８Ａ〜図８Ｄに関して説明された原理を等しく適用する。例えば１２個のフロントステッチと１２個のバックステッチを有するコース内ニットシーケンスは、６個の２グループ、５個の１グループと７個の１グループ、４個の１グループと８個の１グループ等に分けられてもよい。さらに、インターロック・クロスオーバーは、１つのインターロック・コースから次のインターロック・コースへ同じ隣接の針ペアの間に配置されてもよく、あるいはインターロック・コースの間と異なる隣接の針ペアの間に配置されてもよい。
【００３８】
図７Ａ〜図８Ｄで規定される様々なニット構造は、所定の量のステッチ（例えば針位置の所定のセット）の中のインターロック・クロスオーバーの密度を含む。例えば図７Ｂ〜図８Ｄの各ニット構造は、各々が針位置ＨとＴとの間に１３個のフロントステッチ量を有する２つのフロントステッチコースと、各々が針位置ＨとＴとの間に１３個のバックステッチを有する２つのバックステッチコースとを含む。さらに、フロントステッチの量にバックステッチの量を組み合わせると、２６個のステッチ量が得られる。このように、比率は、所定のニット織物領域におけるステッチの数に対するインターロック・クロスオーバーの量を記述することができる。例えば１３個の針位置を有する２つのコースを含む図７Ｂ〜図８Ｄのニットダイアグラムによって記述されるニットシーケンスの各々において、ステッチの量に対するインターロック・クロスオーバーの比は３：１３である。このように、本開示の一態様では、ステッチの量に対するインターロック・クロスオーバーの比を使用して、ニット織物ゾーンにおける伸びの量を評価して調整することができる。
【００３９】
上述したように、図７Ｂ〜図８Ｄは、８つのフロントステッチ及び８つのバックステッチという量を有するいくつかの異なるコース内ニットシーケンスの単なる例であり、他の例では、コース内ニットシーケンスは、４〜１２個のステッチを含んでよい。ステッチに対するインターロック・クロスオーバーの比によってニット織物領域を特徴付ける同じ理論的解釈を適用すると、本開示の一態様において、比は約１：４から約１：１３の範囲内である。
【００４０】
本開示の他の態様によれば、ニット織物領域（例えば６６及び６８）の他の特性は、管状ジャカードニット構造に加えて、ニット織物領域によって提供される伸び及び圧縮の量に部分的に寄与する。例えば一態様では、フロント糸ストランドとバック糸ストランドの両方が、非弾性糸タイプ（ｙａｒｎ  ｔｙｐｅ）（時には、非伸張糸（ｎｏｎ−ｓｔｒｅｔｃｈ  ｙａｒｎ）とも呼ばれる）を含み、これは、荷重が除去されたときに非伸張状態に戻る前に荷重下で２００％未満の最大伸張を提供する弾性量を含む。更なる態様では、非弾性糸タイプの第１糸ストランド及び第２糸ストランドは、１００％未満の最大伸張を提供する。非弾性糸タイプの例には、ナイロン及びポリエステルが挙げられる。本開示の一態様では、第１糸ストランド及び第２糸ストランドは両方とも、ナイロン２／７８Ｄ／６８の両端（ｔｗｏ  ｅｄｇｅｓ）（すなわち、各プライ（ｐｌｙ）が６８フィラメントで７８デシテックスである２プライ（双糸））を含む。対照的に、弾性糸タイプは、荷重が除去されるときに非伸張状態に戻る前に、荷重下で２００％を超える最大伸張を提供し、いくつかの弾性糸は、約４００％の最大伸張を提供する。弾性糸の例には、スパンデックス、エラスタン（ｅｌａｓｔａｎｅ）、ライクラ（ｌｙｃｒａ）（登録商標）等が挙げられる。
【００４１】
第１糸ストランド及び第２糸ストランドが非弾性糸タイプを含むとき、ニット織物パネルの伸びの量は、インターロック・クロスオーバーによって提供される機械的伸びによって達成可能である。非弾性糸タイプが使用される本開示のこの態様がない場合、他の解決法は、伸び量を達成するために、より弾性のある糸タイプを含んでもよい。
【００４２】
本発明の別の態様によれば、ステッチ長は、管状ジャカードニット構造によって提供される伸び特性に加えて、ニット織物領域によって提供される伸びの量にも寄与し得る。例えばニット織物領域のフロント及びバックのステッチのステッチ長は、約３．００ｍｍ〜約３．３０ｍｍの範囲であってよい。また、本発明の一態様では、ステッチ長は３．１５ｍｍである。これらのステッチ長は、単に本開示の一態様の例示にすぎず、他の態様では、より小さい又はより大きいステッチ長が使用されてよい。
【００４３】
図７Ａ〜図８Ｄに示され、上胴衣の様々なニット領域に組み込むことができる構造は、第１糸ストランド及び第２糸ストランドで構成される管状ジャカードニット構造を含む。加えて、図７Ａ〜図８Ｄのニット構造の各々、並びにそれらのニット構造が組み込まれる上胴衣のニット織物領域（例えば６６及び６８）は、追加の一体的ニット構造を含んでもよい。例えば図９を参照すると、管状ジャカードニット構造９１０は、複数のフロントステッチコース及び複数のバックステッチコースを有するように示されている。加えて、フロントステッチコース９１２Ａ及び９１２Ｂは、図４〜図８Ｄに関して説明した管状ジャカードニット構造と同様に、バックステッチコース９１４Ａ及び９１４Ｂと断続的にインターロックされる。このように、フロントステッチコース９１２Ａとバックステッチコース９１４Ａは、インターロック・コースを形成する。本開示の別の態様によると、各インターロック・コースは、１つおきのフロントステッチ（ｅｖｅｒｙ  ｏｔｈｅｒ  ｆｒｏｎｔ  ｓｔｉｔｃｈ）及び１つおきのバックステッチ（ｅｖｅｒｙ  ｏｔｈｅｒ  ｂａｃｋ  ｓｔｉｔｃｈ）とインターループすることによって、それぞれのフロントステッチコース９１２Ａをそれぞれのバックステッチコース９１４Ｂに更にバインドする、インターロック・タック・ステッチ（ｉｎｔｅｒｌｏｃｋ  ｔｕｃｋ  ｓｔｉｔｃｈｅｓ）のコースを更に含む。図９に示されるように、第３糸ストランド９１６は、バックステッチコース９１４Ａにおいてタック・ステッチ９１８を形成し、次いで、フロントステッチコース９１２Ａに移動して、別のタック・ステッチ９２０を形成する。さらに、第３糸ストランド９１６は、フロントステッチコース９１２Ａとバックステッチコース９１４Ａとの間を前後に波状に移動して、１つおきのフロントステッチ及び１つおきのバックステッチにおいてタック・ステッチを形成する。図９の例では過密を避けるために、インターロック・タック・ステッチの他のコースは（例えばフロントステッチコース９１２Ｂ及びバックステッチコース９１４Ｂによって形成されるコース内には）図示されていないが、本開示の他の態様では、インターロック・タック・ステッチの他のコースは、フロントステッチコース９１２Ｂを、バックステッチコース９１４Ｂと、並びに他のフロント及びバックコースとバインドしてもよい。さらに、インターロック・タック・ステッチの他のコースは、フロントステッチコース９１２Ａをバックステッチコース９１４Ｂとバインドするインターロック・タック・ステッチのコースからオフセットされてもよい。
【００４４】
図１０を参照すると、ニットダイアグラム１０１０は、実行されると、図９の管状ジャカードニット構造９１０と同様のニット構造になるニット表記を示す。例えばニットダイアグラム１０１０は、第３糸ストランド１０１４のニット構造を規定する行１０１２を示す。図９に関して説明したように、この行は、第３糸ストランド１０１４がバックサイドにタック・ステッチ１０１６を形成し、次いで第３糸ストランド１０１４がフロントサイドに移動１０１８することを示す。次いで、第３糸ストランド１０１４は、フロントサイドにタック・ステッチ１０２０を形成し、バックサイドに移動１０２２する。このパターンは、１つおきのフロントステッチ及び１つおきのバックステッチにおいてタックを縫う間に、第３糸ストランド１０１４がフロントサイドとバックサイドの間で前後に移動するように繰り返す。
【００４５】
図１１は、管状ジャカードニット構造１１１０の別の例示の概略図を提供する。管状ジャカードニット構造１１１０は、図９のフロントステッチコース９１２Ａ及びバックステッチコース９１４Ａに対応し、第１糸ストランド１１１２、第２糸ストランド１１１４及び第３糸ストランド１１１６を含む。第１糸ストランド１１１２及び第２糸ストランド１１１４は、図６のニット構造３１０と同様の構造を形成するように編まれており、断続的にインターロックしてインターロック・コースを形成するフロントステッチコース１１１８とバックステッチコース１１２０を含む。加えて、第３糸ストランド１１１６は、１つおきのフロントステッチ及び１つおきのバックステッチにおいて一連のインターロック・タック・ステッチを構成することによって、フロントステッチコース１１１８とバックステッチコース１１２０をバインドする。
【００４６】
インターロック・タック・ステッチのコースをニット織物パネルへ構成することができる方法を更に例示するために、別のニットダイアグラム１２１０が図１２に図示されている。ニットダイアグラム１２１０は、いくつかの点で図７Ａのニットダイアグラム７１０と類似している。例えばニットダイアグラム１２１０は、第１糸ストランド１２１６についてのステッチタイプ及び位置を示す一連の第１糸行１２１２Ａ〜１２１２Ｅと、第２糸ストランド１２１８についてのステッチタイプ及び位置を示す一連の第２糸行１２１４Ａ〜１２１４Ｅとを示す。加えて、図７Ａと同様に、第１糸ストランド１２１６及び第２糸ストランド１２１８は、８つのフロントステッチ、８つのバックステッチ、そして８つのフロントステッチとバックステッチの間の単一のインターロック・クロスオーバーを有する、繰り返しのコース内ニットシーケンスを有する同様のインターロック・コースを構成する。加えて、ニットダイアグラム１２１０は、一連の第３糸行１２２０Ａ〜１２２０Ｅを更に示している。第３糸行１２２０Ａ〜１２２０Ｅは、各コース内でフロントベッドからバックベッドへ交互になり、１つおきのフロントステッチ及び１つのおきのバックステッチにおいて構成される、インターロック・タック・ステッチを規定する。さらに、ニットダイアグラム１２１０は、インターロック・タック・ステッチの連続するコース（例えば１２２０Ａ及び１２２０Ｂ）が互いにオフセットされていることを示す。したがって、コース１２２０Ａ内の、スキップされてタック・ステッチを含まない針が、直接連続するコース１２２０Ｂ内のタック・ステッチを含むことになる。
【００４７】
図１２のニットダイアグラム１２１０は、インターロック・タック・バインダを含む１つのニット構造の例である。本開示の他の態様では、図８Ａ〜図８Ｄに示される様々なニット構造の各々は、インターロック・タック・ステッチのオフセットコースを含むように補足されてもよい。さらに、図７Ａ〜図８Ｄに関して説明した追加の可能なニットの組合せの各々は、少なくとも４つのフロントステッチ及びバックステッチで１２個以下のフロントステッチ及びバックステッチを有するコース内ニットシーケンスを含む、インターロック・タック・ステッチのオフセットコースも含んでよい。更なる態様では、インターロック・タック・バインダを有する管状ジャカードニット構造は、本開示の他の部分で説明されるように、フロント及びバックステッチのより小さい又はより大きいサブセットを含んでもよい。
【００４８】
更なる態様において、インターロック・タック・ステッチを構成するために使用される第３糸ストランドは、第１糸ストランド及び第２糸ストランドと同様の特性を含む。例えば第３糸ストランドは、非弾性糸タイプ（時には、非伸張糸とも呼ばれる）を含み、これは、荷重が除去されたときに非伸張状態に戻る前に荷重下で２００％未満の最大伸張を提供する弾性量を含む。更なる態様では、非弾性糸タイプの第１糸ストランド及び第２糸ストランドは、１００％未満の最大伸張を提供する。非弾性糸のタイプの例には、ナイロン及びポリエステルが挙げられる。本開示の一態様では、第３糸ストランドは、ナイロン２／７８Ｄ／６８の両端（すなわち、各プライが６８フィラメントで７８デシテックスである２プライ）を含む。
【００４９】
インターロック・タック・バインダは、本開示で説明される管状ジャカードニット構造を有するニット織物領域に、様々な特性を付加する。例えばインターロック・タック・バインダは、より幅広にされるか押し広げられる、より平らなニット織物パネルをもたらすように、フロントステッチコース及びバックステッチコースを一緒に保持する。さらに、このバインダは、ニット織物パネルをよりタイトにすることを容易にするのに役立つ。例えば一態様では、タックのステッチ長は約２．６ｍｍ〜約３．０ｍｍの範囲内である。インターロック・タック・ステッチのコースによって伝えられる特性は、タック・ステッチの小さな間隔、並びに糸の組成（例えば非伸張）及びサイズによって達成される。インターロック・タック・ステッチのコースは、多くの場合にタック・ステッチを更に離間させ、より広い針床間隔を利用し、より大きな糸を一体化する、スペーサニット構造のようなニット構造に追加される可能性がある、いくつかの他のタイプの追加のニット構造とは異なる。
【００５０】
図４〜図１２に関連する本開示の以前の説明部分は、図１〜図３に図示されるニット織物領域６６及び６８を構成することができる様々な管状ジャカードニット構造を説明している。前述したように、これらの管状ジャカードニット構造は、インターロック・クロスオーバーの密度、糸組成、糸サイズ、ステッチ長又はそれらの任意の組合せに少なくとも部分的に基づいて、ニット織物領域６６及び６８に対して、ある量の伸びを提供する。したがって、本開示の一態様では、伸びの量は、ある量のサポート及び圧縮を下にある組織（例えば乳房組織）に提供する、弾性率（ｍｏｄｕｌｕｓ  ｏｆ  ｅｌａｓｔｉｃｉｔｙ）に変換される。このように、ニット織物領域６６及び６８のサイズは、乳房カバー部分３０及び３２の一部又はすべてを含むように構成されてよく、そのサイズは様々な方法で決定されてよく、そのような方法の一部は、上胴衣、乳房カバー部分又はそれらの組合せのサイズに関係する。弾性率は、様々な方法で決定されてよく、一態様では、ＡＳＴＭ  Ｄ  ４９６４−９６によって指定される試験方法を使用してもよい。
【００５１】
本開示の一態様は、サイズ及び寸法を有する上胴衣を含む。例えば上胴衣は、３０インチ以上４２インチ以下のサイズの胸部バンドと、Ａ〜Ｅの範囲のカップサイズとを有するブラとすることができる。加えて、ブラは、Ｓ、Ｍ、Ｌ、ＸＬ（ｘ−ｌａｒｇｅ）等のサイジングを有してもよい。乳房カバー部分３０及び３２も様々なサイズを有してもよい。例えば乳房カバー部分３０及び３２の底部周縁（ｂｏｔｔｏｍ  ｐｅｒｉｍｅｔｅｒ  ｅｄｇｅ）において、該底部周縁が胸部バンド５０と合致する場合、乳房カバー部分３０及び３２のうちの一方の底部周縁は、約３インチから約５インチの範囲の長さを有してもよい。別の態様では、乳房カバー部分の各々の底部周縁は、約９０ステッチから約１２０ステッチの範囲のステッチ数を有することができる。例えば図１〜図３の乳房カバー部分３０及び３２は各々、胸部バンド５０に合致する底部周縁に沿って約１０４個のステッチを含む。加えて、中央ブリッジ３４とインターフェースする乳房カバー部分３０及び３２の各々の内側周縁（ｍｅｄｉａｌ  ｐｅｒｉｍｅｔｅｒ  ｅｄｇｅ）は、約３．５インチから約５．５インチの範囲の長さを含むことができる。また、別の態様では、乳房カバー部分３０及び３２の各々の内側周縁は、約１５０〜約２４０個の範囲のコース数を含むことができる。
【００５２】
上胴衣のいくつかの例示的なサイズ及び寸法を説明してきたが、本開示の別の態様は、管状ニット織物を含み、かつ乳房カバー領域３０及び３２内に配置される、ニット織物領域６６及び６８のサイズに関する。ニット織物パネル６６及び６８と乳房カバー部分３０及び３２との間のこの相対的なサイジングは、少なくとも部分的に、ニット織物パネルによって提供される伸び特性が乳房カバー部分３０及び３２に伝達される程度を決定することができる。
【００５３】
ニット織物領域６６及び６８のサイズは、様々なメトリクスによって決定されてよい。例えばニット織物領域６６及び６８は、測定側面を有する多角形の形状を含んでもよく、一態様では、ニット織物領域６６及び６８は、少なくとも１’’×１’’（１インチ×１インチ）の正方形である。また、別の態様では、ニット織物パネル６６及び６８は、胸部バンドに当接する基部周縁が約３インチ〜約５インチの範囲にあり、内側領域に当接する内側周縁が約３．５インチ〜約５．５インチの範囲にあるように、乳房カバー領域３０及び３２の寸法の少なくとも一部に対応するサイズを含む。これらの寸法は、本発明の一態様の例示であり、他の態様では、ニット織物領域の寸法は、列挙された範囲よりも小さくてもよい。ニット織物領域のこれらの寸法は、列挙された範囲よりも大きくてもよい。
【００５４】
本開示の更なる態様では、ニット織物領域６６及び６８のサイズは、コース及びステッチの数に基づいてもよい。例えば一態様では、ニット織物領域６６及び６８は、約４０コースから約１２０コースの範囲の量のインターロック・コースを含み、各インターロック・コースは、フロントステッチコース及びバックステッチコースを含む。更なる態様では、例えばニット織物パネルが、乳房カバー部分３０及び３２の内側周縁に対応するサイズを含むようなときには、各ニット織物領域６６及び６８は、約１５０コースから約２４０コースの範囲の量のコースを含む。加えて、その量内のこれらのコースの各々は、インターロック・コースに沿って繰り返すそれぞれのコース内ニットシーケンスを含む。コース内ニットシーケンスのサイズ（例えば４〜１２ステッチの間）に基づいて及びコース内ニットシーケンスの繰り返しの回数に基づいて、ニット・テキスタイル・パネルの別の寸法を、それぞれのコースのステッチの総数に基づいて決定することができる。例えば以前に示したように、コース内ニットシーケンスは、４個以上で１２個以下のステッチ量を有することができ、シーケンスは５回〜１０回の間で繰り返すことができる。これらの例示的な数字を使用して、ニット織物領域の幅を、２０ステッチ〜１２０ステッチとの間とすることができる。また、更なる態様では、例えばニット織物パネルが、乳房カバー部分３０及び３２の底部周縁に対応するサイズを含むようなときには、各ニット織物領域６６及び６８は、約８０個〜約１２０個の範囲のステッチ量を含むことができる。
【００５５】
本開示の他の部分で説明されるように、コース又はニット織物パネル内のインターロック・クロスオーバーの数を増加又は減少させて、伸び特性（例えば弾性率）を変化させることができる。したがって、本発明の一態様は、第１弾性率を有する第１ニットゾーンと、第１弾性率よりも大きい第２弾性率を有する第２ニットゾーンとを含む上胴衣を含む。さらに、第１ニットゾーンは、第１管状ジャカードニット構造で構成され、第２ニットゾーンは、第２管状ジャカードニット構造で構成される。第１管状ジャカードニット構造及び第２管状ジャカードニット構造は両方とも、複数のバックステッチコースと断続的にインターロックされる複数のフロントステッチコースを含む。しかしながら、第２管状ジャカードニット構造内のインターロック・クロスオーバーの密度は、第１管状ジャカードニット構造内のインターロック・クロスオーバーの密度よりも低く、より低い密度は、より少ない数のインターロック・クロスオーバーによって与えられる伸びを小さくすることで弾性率を増加させる。本開示のこの態様は、上胴衣の異なる領域が、同じ糸タイプと、同じ糸サイズと、同じステッチ構造と、インターロック・クロスオーバーの密度に基づく異なるゾーン特性で構成されることを可能にする。
【００５６】
次に図１３を参照すると、上胴衣１３１０は、乳房カバー部分において第１管状ジャカードニット構造を有する第１ニットゾーン１３１２と、翼部分において第２管状ジャカードニット構造を有する第２ニットゾーン１３１４と、中央ブリッジにおいて第３管状ジャカードニット構造を有する第３ニットゾーン１３１６とを含む。管状ジャカードニット構造は、それぞれニットダイアグラム１３１３、１３１５及び１３１７によって表されており、ニットダイアグラム１３１３、１３１５及び１３１７は、実行されると、それぞれの管状ジャカードニット構造を構成するであろうことが理解される。
【００５７】
ニットダイアグラム１３１３によって示されるように、第１管状ジャカードニット構造は、複数の第１フロントステッチコース及び複数の第１バックステッチコースを含み、該複数の第１フロントステッチコース及び複数の第１バックステッチコースは、第１糸ストランド１３２０及び第２糸ストランド１３２２で構成される。複数の第１フロントステッチコースの各フロントステッチコースは、複数の第１バックステッチコースのバックステッチコースと断続的にインターロックして、複数の第１インターロック・コース１３２４Ａ及び１３２４Ｂを形成する。複数の第１インターロック・コースの各第１インターロック・コース１３２４Ａ及び１３２４Ｂは、ある量の針（例えば１４個）を有する、第１セットの連続する針位置１３２６を含む。加えて、各第１インターロック・コース１３２４Ａ及び１３２４Ｂは、第１セットの連続する針位置１３２６の中に配置される第１糸ストランド１３２０と第２糸ストランド１３２２の３つのインターロック・クロスオーバー１３２８Ａ〜１３２８Ｃを含む。第１セットの連続する針位置１３２６は、複数の第１インターロック・コース１３２４Ａ及び１３２４Ｂ全体にわたって一貫している。
【００５８】
引き続き図１３を参照すると、ニットダイアグラム１３１５によって示される第２管状ジャカードニット構造は、複数の第２フロントステッチコース及び複数の第２バックステッチコースとを含み、該複数の第２フロントステッチコース及び複数の第２バックステッチコースは、第３糸ストランド１３３０及び第４糸ストランド１３３２で構成される。複数の第２フロントステッチコースの各フロントステッチコースは、複数の第２バックステッチコースのバックステッチコースと断続的にインターロックして、複数の第２インターロック・コース１３３４Ａ及び１３３４Ｂを形成し、各第２インターロック・コース１３３４Ａ及び１３３４Ｂは、ニットダイアグラム１３１３で識別されるのと同じ量（例えば１４個）の針を有する、第２セットの連続する針位置１３３６を含む。第２インターロック・コースは、第２セットの連続する針位置１３３６の間に配置される第３糸ストランドと第４糸ストランドの３つ未満のインターロック・クロスオーバーを含む。したがって、第１管状ジャカードニット構造と比較して、第２管状ジャカードニット構造は、インターロック・クロスオーバーに起因するより少ない伸びと、より高い弾性率とを示すであろう。したがって、２つのニットゾーン１３１２と１３１４の間のように、同じ糸を両方のゾーン全体に広げることができ、２つのゾーン間で異なる密度のインターロック・クロスオーバーを構築することによって、異なる伸び特性を与えることができる。
【００５９】
第３ニットダイアグラム１３１７は、第３管状ジャカードニット構造と相関しており、フロントステッチコースをバックステッチコースにリンクするインターロック・クロスオーバーは、ニットダイアグラム１３１７内に示される針位置の数よりも更に離間して配置される。例えば第３管状ジャカードニット構造においてフロントステッチコースとバックステッチコースを接続するインターロック・クロスオーバーは、第３ニットダイアグラム１３１７によって示される部分の外側にある、中央ブリッジから乳房カバー部分への遷移部分のより近くに又はそれに沿って配置されてもよい。このように、フロントステッチコース及びバックステッチコースはインターロック・コースを形成するが、針位置１３３８の量の範囲内では、第３管状ジャカードニット構造はインターロック・クロスオーバーを含まない。第１管状ジャカードニット構造及び第２管状ジャカードニット構造と比較して、第３管状ジャカードニット構造は、インターロック・クロスオーバーに起因する伸びの量が最も少なく、弾性率が最も高いと考えられる。
【００６０】
図１３のニットダイアグラムは、単に本開示の一態様の例示にすぎない。他の態様では、ニットゾーンの各々におけるインターロック・クロスオーバーの密度は、より小さいか又はより大きくてもよいが、それらのニットゾーンは依然として異なる密度を含み、その結果、伸び特性におけるゾーン差が生じる。加えて、図に示されるコース内ニットシーケンスは、代替的に、図８Ａ〜図８Ｄに示されるコース内ニットシーケンスのいずれか、図９〜図１２に関して説明される、オフセットされたインターロック・タック・バインダを含んでもよく、あるいはそれらに関して説明した編成原理のいずれか（例えば様々なサイズのステッチ・サブセット）を適用してもよい。例えばコース内ニットシーケンス内のインターロック・クロスオーバーは、フロントステッチ及びバックステッチを、等しいステッチ数を有するか不均等なステッチ数を有するサブセットに分割してもよい。加えて、あるコースのインターロック・クロスオーバーが、隣接するコースのインターロック・クロスオーバーと（針位置によって）位置合わせされてもよく、あるいはあるコースのインターロック・クロスオーバーが、隣接するコースのインターロック・クロスオーバーと（針位置によって）オフセットされてもよい。さらに、オフセットされたインターロック・タック・ステッチのコースを、第１、第２及び第３管状ジャカードニット構造へ構成することもでき、これらの構造は依然として、それぞれのインターロック・クロスオーバーの密度の差に基づいて、弾性率におけるゾーン差を含むことになる。
【００６１】
さらに、１８個の針位置を有する２つのインターロック・コースを含む図１３のニットダイアグラムのサイズは、説明目的のために提供されている。また、他の態様では、ニットゾーンの各々は、これらのニットゾーンが、管状ジャカードニット構造に基づいて様々な伸び特性を有する、より大きなニット織物部分を提供するように、より大きくてもよい（すなわち、３つ以上のコース）。例えば各ニットゾーンは、少なくとも４０個のインターロック・コースから１２０個未満のインターロック・コースの範囲内で複数のニットコースを含んでよい。また、他の態様では、ニットゾーンは、１２０個よりも多くのインターロック・コースを含んでもよい。
【００６２】
加えて、上胴衣の他の領域は、異なる弾性率をもたらす異なる管状ジャカードニット構造を有するゾーンを含んでもよい。例えば脇下ゾーン、上部胸部領域、カプセル化領域及びストラップも、管状ジャカードニット構造を有するニットゾーンを含んでよい。したがって、本開示の一態様では、乳房カバー領域、中央ブリッジ、カプセル化領域、上部胸部領域、脇下部分及び翼部分を含む上胴衣の様々な部分は各々、インターロック・タック・バインダを有する管状ジャカードニット構造で構成され、各部分における伸び特性は、インターロック・クロスオーバーの数を増減させることによって調整され得る。
【００６３】
次に、図１４〜図１６を参照すると、本開示の一態様は、１つ以上のカプセル化領域３４、３５Ａ、３５Ｂ、３５Ｃ、３５Ｄ、３５Ｅ及び３５Ｆを提供するために、乳房カバー部分３０及び３２の少なくとも一部の周囲に、より低い密度のインターロック・クロスオーバーを有する管状ジャカードニット織物領域を配置することを対象とする。すなわち、カプセル化領域が、より低い密度のインターロック・クロスオーバーに起因してより低い程度の伸び率を示すことに基づいて、カプセル化領域は、乳房カバー部分３０及び３２に対して、より高い弾性率を含む。
【００６４】
更なる例示として、図１４は、乳房カバー部分内に配置された管状ジャカードニット構造１４１２を示す拡大図１４１０を含む。管状ジャカードニット領域は、互いに連続的にインターループされる複数のフロントステッチコース１４１４を含む。管状ジャカードニット領域はまた、互いに連続的にインターループされる複数のバックステッチコース１４１６を含む。複数のフロントステッチコース及び複数のバックステッチコースは、第１糸ストランド１４１８及び第２糸ストランド１４２０で構成される。さらに、複数のフロントステッチコースの各フロントステッチコースは、複数のバックステッチコースのうちの１つのバックステッチコースと断続的にインターロックして、複数のインターロック・コース（例えば１４２２）を形成する。
【００６５】
複数のインターロック・コースの各インターロック・コース（例えば１４２２）は、複数のインターロック・クロスオーバーを含む。例えばインターロック・コース１４２２は、４つのインターロック・クロスオーバー１４２４、１４２６、１４２８及び１４３０を含む（図面では過剰な混雑を避けるために破線として示されている）。各インターロック・クロスオーバーは、第１糸ストランドと第２糸ストランドが相互にクロスオーバーして、それぞれのフロントステッチコースとそれぞれのバックステッチコースとの間で位置を変えることを含む。各インターロック・コースにおいて、複数のインターロック・クロスオーバーは、例えば１４３２、１４３４、１４３６、１４３８、１４４０、１４４２のように、それぞれのフロントステッチコースを複数のフロントステッチサブセットに、それぞれのバックステッチコースを複数のバックステッチサブセットに分割する。
【００６６】
図６Ａに関連して説明したように、フロントステッチサブセット（例えば１４３２）、バックステッチサブセット（例えば１４３８）及び隣接するインターロック・クロスオーバーのペア（例えば１４２４及び１４２６）は、ニット管状構造が形成されるように、少なくとも部分的に、フロントステッチコースとバックステッチコースとの間にスペース（例えば１４４４）を区分する。図１５は、図１４の基準線１５Ａ−１５Ａ又は基準線１５Ｂ−１５Ｂで切り取った断面の斜視図を示しており、図１４では乳房カバー部分の前面は様々な曲線を含んでいるが、説明の目的のために、図１５の断面は比較的真っ直ぐに示されている。加えて、図１５のニット構造は、説明の目的のために、インターロック・タック・バインダを明示的に示さずに図示されているが、他の態様では、図１５のニット構造は、インターロック・タック・バインダを含んでもよい。
【００６７】
図１５は、この管状の性質をより詳細に示す例示的な概略図を提供する。すなわち、各インターロック・コースは、複数の横並びのニット管状構造を含み、複数のインターロック・コースがインターループで接続されると、図１５のより伸張したニット管状構造１５１２、１５１４、１５１６、１５１８及び１５２０が、管状ジャカードニット領域にわたって横並びに形成されて配置される。すべてのニット管状構造は、フロントステッチとバックステッチのそれぞれのサブセットで構成されているが、これらのサブセットにおけるステッチの量は、ニット管状構造の幅に影響を及ぼす。例えばニット管状構造１５１２を構成するフロントステッチのサブセットは、ニット管状構造１５１４を構成するフロントステッチのサブセットよりも多くのステッチを有し、これは、ニット管状構造１５１２のより広い描写によって証明される。
【００６８】
図１５において、管状ジャカードニット領域は、第１ニットゾーン１５２２、第２ニットゾーン１５２４、第３ニットゾーン１５２６、第４ニットゾーン１５２８及び第５ニットゾーン１５３０に分割されており、各ニットゾーンは、ニットの管状構造のそれぞれのサブセットを含む。本開示の一態様によれば、各ニットゾーンにおけるニット管状構造の幅は、ニットゾーンの伸び特性に影響を及ぼす。さらに、ニット管状構造の幅は、インターロック・クロスオーバーの間隔と、結果として得られるフロントステッチサブセット及びバックステッチサブセット内のステッチの量によって決定される。
【００６９】
更なる態様では、第１ニットゾーン１５２２は、カプセル化領域３５Ａ及び／又は３５Ｂの少なくとも一部を構成し、第２ニットゾーン１５２４は、乳房カバー部分３２の少なくとも一部を構成し、第３ニットゾーン１５２６は、中央ブリッジ３４の少なくとも一部を構成し、第４ニットゾーン１５２８は、他方の乳房カバー部分３０の少なくとも一部を構成し、第５ニットゾーン１５３０は、他方のカプセル化領域３５Ｅ及び／又は３５Ｆの少なくとも一部を構成する。このように、第２及び第４ニットゾーンは、第１、第３及び第５ニットゾーンよりも小さいサブセットのフロント及びバックステッチを含んでよい。また、本開示の一態様では、第２及び第４ゾーン内のニット管状構造は、２つ以上のニット管状構造を含み、そのニット管状構造の各々が、少なくとも２つで７つ未満のフロントステッチと、少なくとも２つで７つ未満のバックステッチを有する。第１、第３及び第５ゾーンの各々は、少なくとも７つのフロントステッチ及び少なくとも７つのバックステッチを有する単一のニット管状構造を含む。
【００７０】
第２及び第４ゾーンにおけるニット管状構造の数は、ニットゾーンの位置に依存して変化してよく、第２及び第４ゾーンは、繰り返しパターンが様々な数のニット管状構造を有し得ることを例示的に伝えるために、破断線を用いて示されている。例えばニットゾーンが断面基準線１５Ａ−１５Ａと位置合わせされている場合、第２及び第４ゾーンにおけるニット管状構造の数は、ニットゾーンが断面基準線１５Ｂ−１５Ｂと位置合わせされている場合よりも少ない。より具体的には、図１４のストライピングは、線１５Ａ−１５Ａでは、第２及び第４ゾーンは各々、約１６個〜１８個のニット管状構造を含むことができ、線１５Ｂ−１５Ｂでは、第２及び第４ゾーンは各々、約３５又は３６個のニット管状構造を含むことができることを示唆している。さらに、第３ニットゾーンにおけるフロント及びバックステッチの数は、線１５Ａ−１５Ａに沿って増加して、２つの乳房カバー部分３０及び３２に広がることになるより広いニット管状構造を構成するであろう。
【００７１】
図１４及び図１５は、針位置と位置合わせされて、コースに対して実質的に直交するように延びているニット管状構造を示す。また、他の態様では、インターロック・クロスオーバーは、斜め、ジグザグ又は他の形状のニット管状構造が形成されるように、コースからコースへオフセットされてもよい。例えばカプセル化バンド３５Ａ〜３５Ｆは、コースの方向に対してある角度で延在して乳房カバー部分３０及び３２の周囲に多角形の外縁を形成する。本開示の一態様では、角度付けされた接合部（ｊｕｎｃｔｉｏｎ）３７Ａ、３７Ｂ、３７Ｃ及び３７Ｄは、上胴衣を着用するときに乳房組織の動きを妨げるのに役立つ。例えばより湾曲した周辺カプセル化領域と比較して、角度付けされた接合部３７Ａ、３７Ｂ、３７Ｃ及び３７Ｄは、乳房組織の回転又は円運動（ｃｉｒｃｕｌａｒ  ｍｏｖｅｍｅｎｔ）を妨げることができる。
【００７２】
さらに、図１４及び図１５で提案されるコース内ニットシーケンスは単に例示であり、他の態様では、ニット管状構造は、図８Ａ〜図８Ｄに示されるコース内ニット配列のいずれか、並びに図９〜１２に関して説明される、オフセットされたインターロック・タック・バインダを使用して構築されてもよい。例えばコース内ニットシーケンス内でのインターロック・クロスオーバーは、フロントステッチ及びバックステッチを、等しいステッチ数を有するか又は不均等なステッチ数を有するサブセットに分割することができる。さらに、オフセットされたインターロック・タック・ステッチのコースを、細長いニット管状構造を形成するフロントコース及びバックコースに構成してもよく、これらの構造は依然として、それぞれの管幅の違いに基づき、伸び特性におけるゾーン差を含むことになる。例えば図１６は、図１５に示されたものと同様の破断線とゾーン１６２２、１６２４、１６２６、１６２８及び１６３０を有する、インターロック・コース１６１０の概略図を提供する。図１６は、インターロック・コース１６１０と一緒にインターロック・タック・ステッチのコースを形成する第３糸ストランド１６１２を更に示す。本開示の他の部分で説明されるように、隣接するコースは、第３糸ストランド１６１２によって形成されるコースからオフセットされる、インターロック・タック・ステッチのコースを含んでもよい。
【００７３】
本開示で説明される態様の１つ以上を有する上胴衣は、様々な方法で構成され得る。例えば市販のＶベッド編機（Ｖ−ｂｅｄ  ｋｎｉｔｔｉｎｇ  ｍａｃｈｉｎｅ）のような、フロント針床及びバック針床を有するフラットベッド編機を使用してよい。様々なベッドゲージを有する編機を使用することができ、一態様では、１８ゲージベッドを使用して上胴衣を構成してもよい。さらに、１４ゲージ、１６ゲージ、１８ゲージ等の様々なサイズの針を使用することができ、一態様では、１６ゲージ針が１８ゲージ針床上で使用される。
【００７４】
上胴衣全体は、単一の一体型ピースとして編まれてよく、次いで、左側、右側、前方部分及び後方部分を作るために特定の位置で一緒に結合される。加えて、上胴衣の特定の部分は、互いに別々に編まれてよく、その後、上胴衣を形成するように結合されてよい。一態様では、ストラップを有する前方部分は、後方部分とは別個に構成され、次いで、２つの部分が結合されて上胴衣を形成する。例えば前方部分の少なくとも一部がすべて非弾性糸で構成されてよく、一方、弾性糸が後方部分に編み込まれてもよい。次いで、前方部分は、後方部分に結合され得る。これらの製造態様は単に例示であり、様々な他の技術も利用され得る。
【００７５】
図１〜図１６に図示される様々な態様、並びに代替的な態様を説明したので、ここで、図示される態様又は代替的な態様のうちの１つ以上を利用する、いくつかの追加の態様を説明する。例えば一態様では、男性又は女性用の上胴衣（例えばブラ、キャミソール、タンクトップ（ｔａｎｋ）、シングレット、ベース層シャツ、レーシングユニット等）は、管状ジャカードニット構造で構成される胸部カバー領域を含む。管状ジャカードニット構造は、伸び特性に少なくとも部分的に寄与するインターロック・クロスオーバーを含み、そのような伸び特性により、胸部カバー領域が弾性糸で構成されているか、非弾性糸で構成されているかにかかわらず、胸部カバー領域（例えば乳房カバー領域）が伸張及び回復することが可能になる。更なる態様では、インターロック・クロスオーバーの密度を上胴衣の異なるゾーンで変化させて、伸び特性を調整し、異なる弾性率を有するゾーンを提供することができる。したがって、上胴衣は、異なる伸び特性を有する異なるゾーンにおいて同じ糸を含むことができ、異なるゾーンは、所与の領域内で異なる量のインターロック・クロスオーバーを有する。更なる態様では、乳房カバー部分を、上胴衣の前方部分にわたってカプセル化領域、ゾーン、バンド等と一緒に構成することができる。例えば乳房カバー部分は、フロントステッチ及びバックステッチのサブセットを含むことができる。
【００７６】
本開示の追加の態様は、第１弾性率を有する第１ニットゾーンと、第１弾性率より大きい第２弾性率を有する第２ニットゾーンとを有する上胴衣に向けられる。第１ニットゾーンは第１管状ジャカードニット構造を含み、第２ニットゾーンは第２管状ジャカードニット構造を含む。第１管状ジャカードニット構造は、複数の第１フロントステッチコース及び複数の第１バックステッチコースを含み、複数の第１フロントステッチコース及び複数の第１バックステッチコースは、第１糸ストランド及び第２糸ストランドで構成されている。複数の第１フロントステッチコースの各フロントステッチコースは、複数の第１バックステッチコースのバックステッチコースと断続的にインターロックして複数の第１インターロック・コースを形成する。加えて、複数の第１インターロック・コースの各第１インターロック・コースは、ある量の針を有する、第１セットの連続する針位置を含む。さらに、各第１インターロック・コースは、第１セットの連続する針位置の中に位置する第１糸ストランドと第２糸ストランドの３つのインターロック・クロスオーバーを含む。第１セットの連続する針位置は、複数の第１インターロック・コースを通して一貫している。第２管状ジャカードニット構造は、複数の第２フロントステッチコース及び複数の第２バックステッチコースを含み、複数の第２フロントステッチコース及び複数の第２バックステッチコースは、第３糸ストランド及び第４糸ストランドで構成されている。複数の第２フロントステッチコースの各フロントステッチコースは、複数の第２バックステッチコースのバックステッチコースと断続的にインターロックして複数の第２インターロック・コースを形成する。複数の第２インターロック・コースの各第２インターロック・コースは、上記の量の針（すなわち、第１セットの連続する針位置と同じ量）を有する、第２セットの連続する針位置を含み、第２セットの連続する針位置の中に位置する第３糸ストランドと第４糸ストランドの３つ未満のインターロック・クロスオーバーを含む。
【００７７】
本開示の別の態様は、第１ニットゾーン及び第２ニットゾーンを有する上胴衣を含む。第１ニットゾーンは、第１弾性率を有する第１管状ジャカードニット構造を含み、第２ニットゾーンは、第１弾性率より大きい第２弾性率を有する第２管状ジャカードニット構造を含む。第１管状ジャカードニット構造は、第１セットの４０個のフロントステッチコースと、第１セットの４０個のバックステッチコースと、第１セットの４０個のフロントステッチコース及びバックステッチコースの間で一貫性がある、第１セットの連続配置される針位置とを含む。第１セットの連続配置される針位置は、ある量の針位置を含む。加えて、第１セットの４０個のフロントステッチコース及びバックステッチコースは、第１セットの連続配置される針位置内の針位置の量に基づき、第１量のステッチを含む。第２管状ジャカードニット構造は、第２セットの４０個のフロントステッチコースと、第２セットの４０個のバックステッチコースと、第２セットの連続配置される針位置とを含む。第２セットの連続配置される針位置は、第２セットの４０個のフロントステッチコース及びバックステッチコースの間で一貫性があり、上記の量の針位置（すなわち、第１管状ジャカードニット構造内と同じ量）を含む。第２セットの４０個のフロントステッチコース及びバックステッチコースと第２セットの連続配置される針位置は、第２量のステッチを含む。第１セットの４０個のフロントステッチコースの各フロントステッチコース及び第１セットの４０個のバックステッチコースの各バックステッチコースは、第１糸ストランド及び第２糸ストランドを含む。第１セットの４０個のフロントステッチコースは、第１糸ストランドと第２糸ストランドの第１量のインターロック・クロスオーバーによって第１セットの４０個のバックステッチコースと断続的にインターロックされる。第１量のインターロック・クロスオーバーは、第１セットの４０個のフロントステッチコース及び第１セットの４０個のバックステッチコースの中で断続的に分散（ｄｉｓｐｅｒｓｅ）され、第１セットの連続配置される針位置の中に配置される。さらに、第１量のステッチに対する第１量のインターロック・クロスオーバーの第１比は、約１：４〜約１：１３の範囲内である。加えて、第２セットの４０個のフロントステッチコースの各フロントステッチコース及び第２セットの４０個のバックステッチコースの各バックステッチコースは、第３糸ストランド及び第４糸ストランドを含む。第２セットの４０個のフロントステッチコースは、第３糸ストランドと第４糸ストランドの第２量のインターロック・クロスオーバーによって第２セットの４０個のバックステッチコースと断続的にインターロックされる。第２量のインターロック・クロスオーバーは、第２セットの４０個のフロントステッチコース及び第２セットの４０個のバックステッチコースの中で断続的に分散され、第２セットの連続配置される針位置の中に配置される。第２量のステッチに対する第２量のインターロック・クロスオーバーの第２比は、第１比より小さい。
【００７８】
本開示の追加の態様は、第１弾性率を有する第１ニットゾーンと、第１弾性率より大きい第２弾性率を有する第２ニットゾーンとを有する上胴衣に向けられる。第１ニットゾーンは第１管状ジャカードニット構造を含み、第２ニットゾーンは第２管状ジャカードニット構造を含む。第１管状ジャカードニット構造は、複数の第１フロントステッチコースと、複数の第１バックステッチコースとを含み、複数の第１フロントステッチコース及び複数の第１バックステッチコースは、第１糸ストランド及び第２糸ストランドで構成されている。複数の第１フロントステッチコースの各フロントステッチコースは、複数の第１バックステッチコースのバックステッチコースと断続的にインターロックして、複数の第１インターロック・コースを形成する。加えて、各第１インターロック・コースは、１つおきのフロントステッチ及び１つおきのバックステッチとインターループすることによって、それぞれのフロントステッチコースをそれぞれのバックステッチコースにバインドするインターロック・タック・ステッチのコースを形成する、第３糸ストランドも含む。加えて、複数の第１インターロック・コースの各第１インターロック・コースは、ある量の針を有する、第１セットの連続する針位置を含む。さらに、各第１インターロック・コースは、第１セットの連続する針位置の中に位置する第１糸ストランドと第２糸ストランドの３つのインターロック・クロスオーバーを含み、第１セットの連続する針位置は、複数の第１インターロック・コースの中で一貫している。第２管状ジャカードニット構造は、複数の第２フロントステッチコースと、複数の第２バックステッチコースとを備え、複数の第２フロントステッチコース及び複数の第２バックステッチコースは、第４糸ストランド及び第５糸ストランドで構成されている。複数の第２フロントステッチコースの各フロントステッチコースは、複数の第２バックステッチコースのバックステッチコースと断続的にインターロックして、複数の第２インターロック・コースを形成する。各第２インターロック・コースは、１つおきのフロントステッチ及び１つおきのバックステッチとインターループすることによって、それぞれのフロントステッチコースをそれぞれのバックステッチコースにバインドするインターロック・タック・ステッチのコースを形成する、第６糸ストランドも含む。複数の第２インターロック・コースの各第２インターロック・コースは、上記の量の針（すなわち、第１セットの連続する針位置と同じ量）を有する、第２セットの連続する針位置を含み、第２セットの連続する針位置の中に位置する第４糸ストランドと第５糸ストランドの３つ未満のインターロック・クロスオーバーを含む。
【００７９】
以上のことから、本主題は、明確かつ構造に固有である他の利点とともに、上記で説明される目的及び目標を達成するように適合されていることが分かるであろう。特定の特徴及びサブコンビネーションは有用であり、他の特徴及びサブコンビネーションを参照することなく用いることができることが理解されるであろう。これは、特許請求の範囲によって考慮されており、その範囲内にある。本主題の範囲から逸脱することなく、本主題について多くの可能な変形及び代替案を作ることができるので、本明細書で説明されるか、添付の図面に示されるすべての事項は、例示的なものとして解釈されるべきであり、限定的な意味では解釈されないことを理解されたい。
【要約】上胴衣は、第１ニットゾーン及び第２ニットゾーンを含む。第１ニットゾーンは、第１管状ジャカードニット構造を含み、第１弾性率を有し、第２ニットゾーンは、第２管状ジャカードニット構造を含み、第１弾性率より大きい第２弾性率を有する。【図１】
0006704092.tif 000002
【図２】
0006704092.tif 000003
【図３】
0006704092.tif 000004
【図４】
0006704092.tif 000005
【図５】
0006704092.tif 000006
【図６Ａ】
0006704092.tif 000007
【図６Ｂ】
0006704092.tif 000008
【図７Ａ】
0006704092.tif 000009
【図７Ｂ】
0006704092.tif 000010
【図８Ａ】
0006704092.tif 000011
【図８Ｂ】
0006704092.tif 000012
【図８Ｃ】
0006704092.tif 000013
【図８Ｄ】
0006704092.tif 000014
【図９】
0006704092.tif 000015
【図１０】
0006704092.tif 000016
【図１１】
0006704092.tif 000017
【図１２】
0006704092.tif 000018
【図１３】
0006704092.tif 000019
【図１４】
0006704092.tif 000020
【図１５】
0006704092.tif 000021
【図１６】
0006704092.tif 000022